(57)【特許請求の範囲】
【請求項１】
第１の操作棒の先端部にアダプタを介して取り付けられる操作対象物を操作する第２の操作棒の動きを補助するために用いられる操作棒用サポート具であって、
前記操作対象物と前記アダプタとの連結部位に取付け可能な連結部材と、この連結部材に対して所定の角度範囲で回動可能に一端部が支持された中継部材と、この中継部材の他端部に固定されたローラ支持部材と、このローラ支持部材に回転可能に支持され、前記第２の操作棒の側面に宛がわれるローラと、
を具備することを特徴とする操作棒用サポート具。
【請求項２】
前記連結部材の一端部にはその両側面に菊座部が設けられ、前記アダプタの菊座部と前記操作対象物の菊座部との間に前記連結部材の一端部を介在させて噛合させることにより、前記連結部材を前記操作対象物と前記アダプタとの連結部位に取付けたことを特徴とする請求項１記載の操作棒用サポート具。
【請求項３】
前記連結部材と前記中継部材とは、所定の角度の連結状態となるようスプリングにより常時付勢されていることを特徴とする請求項１又は２記載の操作棒用サポート具。
【請求項４】
前記ローラ支持部材は、前記ローラの軸方向両側において配設された一対の支持板によって構成され、前記支持板は、前記ローラに対して前記中継部材とは反対側に前記ローラの周面よりも外側に延設されていることを特徴とする請求項１乃至３のいずれかに記載の操作棒用サポート具
【請求項５】
前記操作対象物は、前記第２の操作棒により圧縮操作させる手動式の圧縮ペンチであり、請求項１乃至４のいずれかに記載の操作棒用サポート具を、前記圧縮ペンチと前記アダプタとの連結部位に前記連結部材の一端部を取付けて構成したことを特徴とする間接活線用圧縮装置。
【発明の詳細な説明】
【技術分野】
【０００１】
本発明は、架空電線の被覆を剥いだ芯線に外装される接続スリーブを圧縮するために用いられる手動式圧縮ベンチなどの操作対象物を操作する際に用いられる操作棒を補助するためのサポート具とこれを用いた間接活線用圧縮装置に関する。
【背景技術】
【０００２】
例えば、断線した架空電線を接続する場合には、電線端部の被覆を剥ぎ取り、露出した芯線を磨いた後にその芯線に円筒状の導電性金属からなる接続スリーブを外装し、そのスリーブを圧縮することで接続するようにしている。
【０００３】
そのような作業は、先ず、接続する一方の電線の芯線に接続スリーブの一端部を外装して圧縮ペンチ等で予め圧縮接続しておき、その後、接続する他方の電線の端部の被覆を剥ぎ取り、その他方の電線と接続スリーブを取り付けた一方の電線のそれぞれを絶縁ヤットコなどの間接活線用把持工具で把持し、互いの間接活線用把持工具を近づけて他方の電線の芯線を接続スリーブの他端部に近づけ、そのまま電線の芯線を接続スリーブの他端部に挿入し、その状態を一人の作業者が保持しつつ、他の作業者が接続スリーブの他端部を手動式の圧縮ペンチで圧縮するようにしている（特許文献１等参照）。
【先行技術文献】
【特許文献】
【０００４】
【特許文献１】特開２０１３−９５４６号公報
【発明の概要】
【発明が解決しようとする課題】
【０００５】
この手動式の圧縮ペンチ１０は、図６に示されるように、共用操作棒２を菊座アダプタ３を介して連結する連結部材１０１と、この連結部材１０１に対して不動に固定された不動部材１０２と、この不動部材１０２の頂部に一端部が回動自在に支持されている回動部材１０３と、この回動部材１０３の他端部に基端部が回動自在に支持され、先端部に牽引用のリング部材１０４ａが設けられた牽引部材１０４と、不動部材１０２の中間部から連結部材１０１と反対側に突出する支持部材１０２ａに中間部が回動自在に支持され、先端部が前記牽引部材１０４の中間部に回動自在に連結されている伝達部材１０５と、不動部材１０２の下部において連結部材１０１と反対側に回動自在に支持されると共に上端部が伝達部材１０５の下部に回動自在に連結された圧縮部材１０６と、不動部材１０２の最下部に配設され、圧縮部材１０６の最下部の圧縮部１０６ａと対面する受け部１０７ａを有する受け部材１０７と、を備えて構成されている。
【０００６】
この圧縮ペンチ１０は、連結部材１０１の端部１０１ａに先端から基端側に向かってＵ字形状に開口する連結溝１０１ｂを形成し、その端部１０１ａの一方の側面に、連結溝１０１ｂの底部を中心として放射状に突出する複数の突起１０１ｃを周方向に等間隔に形成した菊座部１１０が設けられている。
【０００７】
菊座アダプタ３は、共用操作棒の先端に連結接続するジョイント金具３１とヘッド部３２とが棒状の両端部に配置されているもので、ヘッド部３２は、連結部材１０１の端部に対面可能な円盤状に形成され、連結部材１０１と対面する側面には、その中心に蝶ネジ３２ａが螺合する雄ネジを周面に形成したネジ軸部３２ｂが立設され、またネジ軸部３２ｂの周囲に、該ネジ軸部から放射状に延設された複数の突起３２ｃを周方向に等間隔に形成した菊座部３２０が設けられている。そして、菊座アダプタ３と連結部材１０１の取付け角度を調整しつつ、菊座アダプタ３のヘッド部３２の菊座部３２０と連結部材１０１の菊座部１１０とを噛合させ、蝶ネジ３２ａを締め付けて連結部材１０１をヘッド部３２に固定するようにしている。
【０００８】
菊座アダプタ３のジョイント金具３１は、共用操作棒２の先端部を着脱自在とするツイストロック式のもので、基端側が開口する有底の円筒形状に形成されている。この円筒部の互いに反対側となる周面には、共用操作棒２の先端部の径方向に突設された一対の係止ピン２ａを導入するための略Ｔ字状のガイド溝３１ａが形成され、このガイド溝１１ａの終端部に、係止ピン２ａをツイストロックさせるための係止凹部３１ｂが形成されている。
【０００９】
そして、圧縮ペンチ１０を菊座アダプタ３を介して共用操作棒２の先端部に連結した後に、作業者はその共用操作棒２をもって圧縮ペンチ１０を持ち上げ、この圧縮ペンチを作業位置にアプローチするようにしている。
【００１０】
このような圧縮ペンチ１０は、牽引部材１０４の先端部のリング部材１０４ａに他の共用操作棒の先端に取り付けられたバインド打ち器のフック部を引っ掛けて牽引部材１０４を図中下方に牽引すると、その牽引部材１０４が中間部の伝達部材１０５の上部を中心として回動し、これにより、回動部材１０３が従動回動して伝達部材１０５の上部が不動部材１０２に接近する方向に回動することになる。この伝達部材１０５の回動により圧縮部材１０６の圧縮部１０６ａが受け部材１０７の受け部１０７ａに接近し、圧縮部１０６ａと受け部１０７ａとの間に配置される図示しない接続スリーブが圧縮・変形されることになる。
【００１１】
しかしながら、圧縮ペンチの受け部１０７ａに圧縮スリーブをあてがい、操作リング１０４ａに、バインド打ち器のフック部を引っ掛け、このバインド打ち器が取り付けられている共用操作棒を引き下げて圧縮ペンチ１０の牽引部材１０４を下方に引っ張り圧縮スリーブを圧縮する作業は、作業者１人で圧縮ペンチ１０が取付けられた共用操作棒２を一方の手で支持しつつ、バインド打ち器が取付けられた共用操作棒を他方の手で操作する作業が必要となるので、バインド打ち器のフック部をリング部材１０４ａに引掛ける作業に手間取り、また、フック部をリング部材１０４ａに引掛けた後においても、共用操作棒を下方に引き下げて圧縮操作を行う作業が不安定になる不都合がある。
また、圧縮ペンチ１０の操作リング１０４ａを真っ直ぐに下方へ動かさないと、圧縮途中で引っ掛かって操作ができなくなる場合もあり，圧縮を確実に行えなくなる不都合も生じる。
【００１２】
本発明は係る事情に鑑みてなされたものであり、操作棒で支持された操作対象物を他の操作棒で操作する際に、他の操作棒の安定した動きを確保して、操作対象物へのアプローチや操作対象物の操作を適確に行うことができ、作業者の作業労力を低減することが可能な操作棒用サポート具及びこれを用いた間接活線用圧縮装置を提供することを主たる課題としている。
【課題を解決するための手段】
【００１３】
上記課題を達成するために、本発明に係る操作棒用サポート具は、第１の操作棒の先端部にアダプタを介して取り付けられる操作対象物を操作する第２の操作棒の動きを補助するために用いられるものであって、前記操作対象物と前記アダプタとの連結部位に取付け可能な連結部材と、この連結部材に対して所定の角度範囲で回動可能に一端部が支持された中継部材と、この中継部材の他端部に固定されたローラ支持部材と、このローラ支持部材に回転可能に支持され、前記第２の操作棒の側面に宛がわれるローラと、を具備することを特徴としている。
【００１４】
したがって、第２の操作棒をローラ支持部材のローラに預けた状態で動かすことが可能となるので、第２の操作棒の操作方向や動きがローラによって規制されつつガイドされることになり、第２の操作棒の安定した動きを確保することが可能となる。
【００１５】
ここで、操作対象物とアダプタとの連結部位に連結部材を取付ける構成としては、前記連結部材の一端部の両側面に菊座部を設け、前記菊座アダプタの菊座部と前記操作対象物の菊座部との間に前記連結部材の一端部を介在させて噛合させることにより前記連結部材を前記操作対象物と前記アダプタとの連結部位に取付けるようにしてもよい。
このような構成を採用すれば、サポート具を第１の操作棒に対して所望の角度で強固に固定することが可能となる。
【００１６】
また、前記連結部材と前記中継部材とは、所定の角度の連結状態となるようスプリングにより常時付勢されるようにするとよい。
このような構成とすることで、第２の操作棒を操作する際に操作棒用サポート具にかかる力をスプリングのばね力によって吸収することが可能となり、スムーズな第２の操作棒の動きを実現することが可能となる。
【００１７】
さらに、ローラ支持部材を、前記ローラの軸方向両側において配設された一対の支持板によって構成し、前記支持板を、前記ローラに対して前記中継部材とは反対側に前記ローラの周面よりも外側に延設するようにしてもよい。
このような構成とすることで、ローラに預けた第２の操作棒がこの操作棒を動かす際にローラから外れる不都合がなくなる。
【発明の効果】
【００１８】
以上述べたように、本発明に係る操作棒用サポート具によれば、操作対象物を第１の操作棒に取付けるために用いられるアダプタと操作対象物との連結部位に取付け可能な連結部材と、この連結部位に対して所定の角度範囲で回動可能に一端部が支持された中継部材と、この中継部材の他端部に固定されたローラ支持部材と、このローラ支持部材に回転可能に支持されて操作対象物を操作する第２の操作棒の側面に宛がわれるローラとを具備して構成したので、第２の操作棒をローラに預けて動かすことで、第２の操作棒をガイドする機能を持たせることが可能となる。このため、操作対象物がアダプタを介して取付けられた第１の操作棒を一方の手で保持しつつ、他方の手で第２の操作棒を操作する場合でも、第２の操作棒の安定した動きを確保して操作対象物へのアプローチや操作対象物の操作を適確に行うことが可能となり、また、作業者の作業労力を軽減することが可能となる。
【図面の簡単な説明】
【００１９】
【図１】図１は、本発明に係る操作棒用サポート具を菊座アダプタと圧縮ペンチとの連結部分に取り付けて構成した間接活線用圧縮装置の構成例を示す図であり、バイド打ち器が取り付けられた共用操作棒をローラに預けた状態でフック部をリング部材に引っ掛けた状態を示す図である。
【図２】図２は、本発明に係る操作棒用サポート具を示す図であり、（ａ）はその正面図、（ｂ）はその側面図である。
【図３】図３は、菊座アダプタと圧縮ペンチとの連結部分の構成を示す図であり、（ａ）は菊座アダプタのヘッド部を示す正面図、（ｂ）は菊座アダプタのヘッド部と圧縮ペンチの連結部材の端部との間に操作棒用サポート具を挟みこんで固定した状態を示す側面図、（ｃ）は圧縮ペンチの連結部材の端部を示す正面図である。
【図４】図４は、本発明に係る操作棒用サポート具を取付けた間接活線用圧縮装置の使用状態を示す図であり、（ａ）は第２の操作棒に取付けられたバインド打ち器を圧縮ペンチのリング部材に引掛ける操作を示す図であり、（ｂ）は第２の操作棒を引っ張り、圧縮ペンチの牽引部材を押し下げて圧縮する操作を示す図である。
【図５】図５は、本発明に係る操作棒用サポート具の他の構成例を示す図であり、（ａ）はその正面図、（ｂ）はその側面図である。
【図６】図６は、従来の圧縮ペンチと、これを用いて圧縮作業を行う場合に必要となる供用操作棒および菊座アダプタを示す図である。
【発明を実施するための形態】
【００２０】
以下、本発明の実施形態について図面を参照しながら説明する。
【００２１】
図１において、本発明に係る操作棒用サポート具を用いた間接活線用圧縮装置の構成例が示されている。
この間接活線用圧縮装置１は、第１の共用操作棒２の先端部に取付けられる菊座アダプタ３と、この菊座アダプタ３のヘッド部３２に連結された操作対象物としての圧縮ペンチ１０と、菊座アダプタ３と圧縮ペンチ１０との連結部位に取付けられた操作棒用サポート具４とから構成されている。
【００２２】
菊座アダプタ３は、それ自体公知のもので、棒状部材の一端部に第１の共用操作棒２の先端部に連結接続されるジョイント金具３１を備え、他端部に圧縮ペンチ１０の連結部材１０１の端部１０１ａに連結接続するヘッド部３２を備えて構成されている。
【００２３】
菊座アダプタ３のジョイント金具３１は、第１の共用操作棒２の先端部を挿着可能に基端側が開口された有底の円筒形状に形成され、その円筒部の互いに反対側となる周面には、第１の共用操作棒２の先端部の径方向に突設された一対の係止ピン２ａを導入するための略Ｔ字状のガイド溝３１ａが形成されている。このガイド溝３１ａの終端部には、第１の共用操作棒２の係止ピン２ａをツイストロックさせるための係止凹部３１ｂが形成されている。
【００２４】
ヘッド部３２は、圧縮ペンチ１０の後述する連結部材１０１の円板状の端部に対面可能な円盤状に形成されているもので、連結部材１０１と対面する側面には、図３（ａ）に示されるように、その中心に蝶ネジ３２ａが螺合する雄ネジが周面に形成されたネジ軸部３２ｂが立設し、またネジ軸部３２ｂの周囲には、このネジ軸部から放射状に延設された複数の突起３２ｃを周方向に等間隔に形成した菊座部３２０が設けられている。
【００２５】
圧縮ペンチ１０は、従来と同様の構成を有する手動式のものであり、菊座アダプタ３のヘッド部３２と連結する連結部材１０１と、この連結部材１０１に対して不動に固定された不動部材１０２と、この不動部材１０２の頂部に一端部が回動自在に支持された回動部材１０３と、この回動部材１０３の他端部に基端部が回動自在に支持され、先端部に牽引用のリング部材１０４ａが設けられた牽引部材１０４と、不動部材１０２の中間部から連結部材１０１と反対側に突出する支持部材１０２ａに中間部が回動自在に支持され、先端部が牽引部材１０４の中間部に回動自在に連結された伝達部材１０５と、不動部材１０２の下部において連結部材１０１と反対側に回動自在に支持されると共に上端部が伝達部材１０５の下部に回動自在に連結された圧縮部材１０６と、不動部材１０２の最下部に配設され、圧縮部材１０６の最下部の圧縮部１０６ａと対面する受け部１０７ａを有する受け部材１０７と、を具備して構成されている。
【００２６】
この圧縮ペンチ１０の連結部材１０１は、その端部１０１ａが、図３（ｃ）に示されるように、先端から基端側に向かってＵ字形状に開口する連結溝１０１ｂを備えた円盤形状に形成され、その端部１０１ａの一方の側面に、連結溝１０１ｂの底部を中心にして放射状に突出する複数の突起１０１ｃを周方向に等間隔に形成した菊座部１１０が設けられている。この連結部材１０１の菊座部１１０は前記菊座アダプタ３のヘッド部３２に形成された菊座部３２０と互いに噛合して連結可能となっている。
【００２７】
操作棒用サポート具４は、図２にも示されるように、圧縮ペンチ１０と菊座アダプタ３との連結部位、すなわち、圧縮ペンチ１０の連結部材１０１の端部１０１ａと菊座アダプタ３のヘッド部３２とに取付け可能な連結部材４１と、この連結部材４１に対して所定の角度範囲で回動可能に一端部が支持された中継部材４２と、この中継部材４２の他端部に固定されたローラ支持部材４３と、このローラ支持部材４３に回転可能に支持されたローラ４４とを有して構成されている。
【００２８】
連結部材４１は、棒状体の一端部に、前記菊座アダプタ３のヘッド部３２、及び、圧縮ペンチ１０の連結部材１０１の円板状の端部１０１ａと対面可能な円盤状に形成された連結端部４１ａが一体に設けられている。この連結端部４１ａには、Ｕ字形状に開口する連結溝４１ｂが形成され、この連結端部４１ａの両側面には、連結溝４１ｂの底部を中心として、放射状に突出する複数の突起４１ｃを周方向に等間隔に形成した菊座部４１０が設けられている。
この例において、連結溝４１ｂは、連結部材４１の軸方向に対して略直角方向に開口するように設けられ、前記菊座アダプタ３のネジ軸部３２ｂにヘッド部３２の先端側から外装できるようになっている。
【００２９】
中継部材４２は、絶縁素材で構成された円筒形状のもので、前記連結部材４１の他端部に回動可能に取り付けられている。この例においては、連結部材４１の他端中央部に突設された軸受け部４１ｄの両側に中継部材４２の一端部に設けられた一対の軸受け部４２ａを嵌め合わせ、これら軸受け部４１ｄ、４２ａに連結部材４１の軸心に対して直交する軸部材４５を貫通させ、中継部材４２を、連結部材４１に対して、連結端部４１ａの盤面と同一平面上（菊座アダプタ３のネジ軸部３２ｂの軸心に対して垂直となる面上であり、菊座アダプタ３の軸心と圧縮ペンチ１０の牽引部材１０４の軸心を含む平面上）で所定の角度範囲（例えば、１０度程度）に亘って回動できるようになっている。
【００３０】
この例においては、中継部材４２と連結部材４１とが、互いの軸心をほぼ一致させる位置から中継部材４２を圧縮ペンチ側へ約１０度屈曲させた位置にかけて、中継部材４２を連結部材４１に対して相対的に回動できるようになっており、図示しないストッパ機構により回動範囲が規制されている。
【００３１】
また、軸部材４５には、ねじりばね４６が外装され、このねじりばね４６の一方のアーム４６ａを連結部材４１の内壁に係止させ、他方のアーム４６ｂを中継部材４２の内壁に係止させ、連結部材４１と中継部材４２とが所定の角度となるように（中継部材４２が連結部材４１に対して圧縮ペンチ側へ約１０度傾くように）常時付勢力が付与されている。
【００３２】
ローラ支持部材４３は、中継部材４２の先端部に、連結軸４７によって連結されて回動不能に固定されているもので、この例では、中継部材４２の先端部を間に挟みこむように配設されると共に、中継部材４２が連結部材４１に対して回動する面と平行をなすように取り付けられた一対の支持板４３ａを中継部材４２の軸線に沿って延設させて構成されている。
【００３３】
ローラ４４は、前記対をなす支持板４３ａ間に回転可能に支持されているもので、硬質樹脂材等の絶縁性素材で構成され、軸方向の中間部で径を小さくするように外周面を湾曲させた糸巻型形状に形成され、その軸心上に形成された軸孔に支持板４３ａ間に架設された支持軸４８を貫通させて取付けられている。
【００３４】
また、対をなす支持板４３ａ間には、ローラ４４が取付けられている箇所の強度を確保するために、Ｕ字状に湾曲された補強板４９をローラ４４の両側となる部分で支持板４３ａ間に架設させている。
【００３５】
以上の操作棒用サポート具４の取付けは、菊座アダプタ３のヘッド部３２の蝶ネジ３２ａを緩めて、ヘッド部３２と圧縮ペンチ１０の連結部材１０１の端部１０１ａとを離間させ、その間に操作棒用サポート具４の連結部材４１の連結端部４１ａを差し入れ、ネジ軸部３２ｂを連結溝４１ｂの底部まで挿入させる。そして、連結部材４１の菊座アダプタ３に対する取付け角度を調整しつつ蝶ねじ３２ａを締め付け、連結端部４１ａの両側面に形成された菊座部４１０を菊座アダプタ３のヘッド部３２に形成された菊座部３２０、及び、圧縮ペンチ１０の連結部材１０１の端部１０１ａに形成された菊座部１１０に噛合させて固定する（図３（ｂ）参照）。
これにより、操作棒用サポート具４の連結部材４１は、菊座アダプタ３と圧縮ペンチ１０の連結部材１０１との間にしっかり固定される。
【００３６】
このようにして操作棒用サポート具４を取付けた間接活線用圧縮装置１を用いて、架空電線間に取付けられている圧縮スリーブＡを圧縮する操作について説明すると、菊座アダプタ３のジョイント金具３１に第１の共用操作棒２を装着し、この共用操作棒２を持って間接活線用圧縮装置１を持ち上げ、圧縮ペンチ１０の受け部材１０７の受け部１０７ａに圧縮スリーブＡをあてがう。そして、この状態を一方の手で第１の共用操作棒２を持って保持しつつ、他方の手でバイド打ち器５が先端部に取付けられた第２の共用操作棒６を持ち上げ、この第２の共用操作棒６の中間部の側面を操作棒用サポート具４のローラ４４に当接させるようにして預け、その状態で、第２の共用操作棒６の角度を調整しつつローラ４４上を滑らせるように上方へ押し上げ、バインド打ち器５のフック部５ａを牽引部材１０４の先端部のリング部材１０４ａに近づけ引っ掛ける（図４（ａ））。
【００３７】
この際、第２の共用操作棒６は、ローラ４４に預けられてガイドされながらバインド打ち器５のフック部５ａをリング部材１０４ａに近づけることができるので、他方の手だけでも容易にバインド打ち器５のフック部５ａをリング部材１０４ａに引っ掛けることが可能となる。
【００３８】
そして、バインド打ち器５のフック部５ａをリング部材１０４ａに引っ掛けた後に、第２の共用操作棒６をローラ４４に預けた状態で下方へスライドさせるように牽引すると、第２の共用操作棒６がローラ４４上を滑るように下方へ変位するので、牽引部材１０４が中間部の伝達部材１０５の上部を中心に回動し、回動部材１０３が従動回動して伝達部材１０５が不動部材１０２に接近する方向に回動する。
その結果、圧縮部材１０６の圧縮部１０６ａは受け部材１０７の受け部１０７ａに接近し、圧縮部１０６ａと受け部１０７ａとの間に配置された接続スリーブＡを圧縮・変形させる（図４（ｂ））。
【００３９】
なお、圧縮ペンチ１０は、図示しないラチェット機構などにより逆戻りすることが制限されており、また、圧縮部１０６ａと受け部１０７ａとを最接近させるとその制限が解除されて牽引部材１０４と回動部材１０３の間の復帰バネ１０８により初期状態に戻されるようになっている。また、圧縮操作を途中で中止する場合には、伝達部材１０５に設けられたリング部材１０５ａを不動部材１０２側に引くことによりラチェット機能が解除され、初期状態に戻すことができるようになっている。
【００４０】
したがって、圧縮ペンチ１０を取付けた第１の共用操作棒２を片手で支持しつつ、バインド打ち器５が取付けられた第２の共用操作棒６を他方の手で持ってローラ４４に預けた状態で移動させることが可能となるので、第２の共用操作棒６の操作方向や動きがぶれることがなくなり、バインド打ち器５のフック部５ａのリング部材１０４ａへの引掛け操作を容易に行うことが可能になると共に、圧縮操作を的確に行うことが可能となる。このため、作業者は、第１の共用操作棒２を支持しつつ第２の共用操作棒６を操作する場合でも作業をスムーズに、且つ、安定して行うことが可能となり、また作業者の作業労力を軽減することが可能となる。
【００４１】
なお、上述の構成においては、ローラ４４に第２の共用操作棒６を預けてスライドさせればよいが、何らかの拍子で第２の共用操作棒６がローラ４４から外れる恐れも考えられる。そこで、図５に示されるように、支持板４３ａをローラ４４が支持される部位よりも十分に上方まで延設させ（支持板４３ａの先端を、中継部材４２と反対側にローラ４４の周面よりも径方向外側へ突出させ）、第２の共用操作棒６をローラ４４に預ける際に対をなす支持板４３ａの間に配置させ、第２の共用操作棒６のローラ４４に預けた状態が外れないようにしてもよい。このような機能を有する構造であれば、支持板４３ａを延設させる態様に限らず、対をなす支持板４３ａのローラ支持部分の端部から支持板の長手方向に沿ってロッドを延設させるようにしてもよい。
【００４２】
また、上述の構成例では、操作対象物として圧縮ペンチを用いた場合を示したが、第１の操作棒の先端部にアダプタを介して取り付けられると共に第２の操作棒で操作することが可能な他の操作対象物に対しても同様の構成を採用してもよい。
【符号の説明】
【００４３】
１  間接活線用圧縮装置
２  第１の共用操作棒
３  菊座アダプタ
４  操作棒用サポート具
５  バインド打ち器
６  第２の共用操作棒
１０  圧縮ペンチ
４０、１１０，３２０，４１０  菊座部
４１  連結部材
４２  中継部材
４３  ローラ支持部材
４４  ローラ
４６  ねじりばね
【図１】
0005897629.tif 000002
【図２】
0005897629.tif 000003
【図３】
0005897629.tif 000004
【図４】
0005897629.tif 000005
【図５】
0005897629.tif 000006
【図６】
0005897629.tif 000007